(57)【要約】【課題】部品数が少なく、組み立て性の良い電気掃除機を提供することを目的とする。【解決手段】  本発明は、本体ケースの前側に内置される集塵ユニットと、本体ケースの後側に内置される電動送風機と、この電動送風機の横隣になるように本体ケースの後側に内置されるコードリールを有し、コードリールは、電動送風機に電気を給電する電気コードを巻く巻取リールの回転軸心の方向が電動送風機に向けて水平になるように置かれ、集塵ユニットの後側に備わる波形状の集塵フィルタと電動送風機との間に介在する除塵装置支持枠体は上部に除塵回転体を備え、除塵回転体は、回転軸心の方向が集塵フィルタの裏面に沿って水平になるように置かれ、除塵回転体には、コードリールに対向する端部側に伝達歯車を含む回転伝達部材を設け、巻取リールに設けた駆動歯車を含む駆動伝達部に除塵回転体の回転伝達部材を回転が伝達されるように接合したことを特徴とする。【選択図】図１１
2005305015.tif 000002
【特許請求の範囲】
【請求項１】
本体ケースと、本体ケースの前側に内置される集塵ユニットと、本体ケースの後側に内置される電動送風機と、この電動送風機の横隣になるように本体ケースの後側に内置されるコードリールを有し、
前記コードリールは、前記電動送風機に電気を給電する電気コードを巻く巻取リールの回転軸心の方向が電動送風機に向けて水平になるように置かれ、
前記集塵ユニットの後側に備わる波形状の集塵フィルタと前記電動送風機との間に介在する除塵装置支持枠体は上部に除塵回転体を備え、
前記除塵回転体は、回転軸心の方向が前記集塵フィルタの裏面に沿って水平になるように置かれ、
前記除塵回転体には、前記コードリールに対向する端部側に伝達歯車を含む回転伝達部材を設け、
前記巻取リールに設けた駆動歯車を含む駆動伝達部に前記除塵回転体の回転伝達部材を回転が伝達されるように接合したことを特徴とする電動送風機。
【請求項２】
請求項１記載の電気掃除機において、
前記除塵回転体の伝達歯車、および前記巻取リールの駆動歯車は、平歯車、傘歯車、フフェース歯車、歯車等の各種歯車を含むことを特徴とする電気掃除機。
【請求項３】
請求項２記載の電気掃除機において、
前記駆動歯車の平歯車を前記巻取リールの外周に設け、
前記除塵回転体の伝達歯車を平歯車とし、
前記駆動歯車と前記伝達歯車の回転軸心が平行になるように両歯車を噛み合わせたことを特徴とする電気掃除機。
【請求項４】
請求項２記載の電気掃除機において、
前記除塵回転体の回転軸心が前記巻取リールの回転軸心より上側に位置することを特徴とする電気掃除機。
【請求項５】
請求項４記載の電気掃除機において、
前記伝達歯車は、前記除塵装置支持枠体の外縁よりも外側に突出して置かれることを特徴とする電気掃除機。
【請求項６】
請求項２記載の電気掃除機において、
前記集塵フィルタは、波間が縦になるように配置し、
前記除塵回転体は、周囲に回転軸心に沿って続く螺旋状の除塵加振部を有し、
前記除塵加振部の外周側が前記集塵フィルタの波間に入り込むように置かれることを特徴とする電気掃除機。
【請求項７】
請求項６記載の電気掃除機において、
前記除塵回転体の除塵加振部を螺旋バネで形成したことを特徴とする電気掃除機。
【請求項８】
請求項１記載の電気掃除機において、
前記本体ケースは、上下に分割される上側本体ケースと下側本体ケースを有し、
上側本体ケースが被せられる前に前記除塵装置支持枠体を含む各種の部品が下側本体ケースに収められることを特徴とする電気掃除機。
【請求項９】
請求項８記載の電気掃除機において、
上側本体ケースは、開閉自在なる上蓋を有し、
この蓋を開いて前記集塵ユニットの出し入れを行うことを特徴とする電気掃除機。
【請求項１０】
請求項９記載の電気掃除機において、
前記集塵ユニットは、サイクロン式の集塵部を有することを特徴とする電気掃除機。
【発明の詳細な説明】
【技術分野】
【０００１】
本発明は、集塵フィルタに付着する塵埃を除塵する除塵装置を備えた電気掃除機に関する。
【背景技術】
【０００２】
従来の電気掃除機は、例えば特許文献１に示すように、集塵フィルタと電動送風機の間に備える除塵装置が備えられる。この除塵装置は、集塵フィルタの背面を弾きながら回転する除塵子にコードリールの回転力を伝達する構成を有する。
【０００３】
【特許文献１】特許第３４９００８１号公報
【発明の開示】
【発明が解決しようとする課題】
【０００４】
上記特許文献１に示す電気掃除機は、除塵子を保持し、かつ外周に外周歯車を有する回転盤と、本体ケースの底側に横置きに置かれるコードリールとを有し、このコードリールの外周歯車と回転盤の外周歯車との間に二つの中間歯車を介在した伝達機構を備えるので、部品数が多く複雑である。このため、組み立て性の面でも良くない。
【０００５】
本発明は、上記の問題に対処し、部品数が少なく、組み立て性の良い電気掃除機を提供することを目的とする。
【課題を解決するための手段】
【０００６】
本発明は、本体ケースと、本体ケースの前側に内置される集塵ユニットと、本体ケースの後側に内置される電動送風機と、この電動送風機の横隣になるように本体ケースの後側に内置されるコードリールを有し、コードリールは、電動送風機に電気を給電する電気コードを巻く巻取リールの回転軸心の方向が電動送風機に向けて水平になるように置かれ、集塵ユニットの後側に備わる波形状の集塵フィルタと電動送風機との間に介在する除塵装置支持枠体は上部に除塵回転体を備え、除塵回転体は、回転軸心の方向が集塵フィルタの裏面に沿って水平になるように置かれ、除塵回転体には、コードリールに対向する端部側に伝達歯車を含む回転伝達部材を設け、巻取リールに設けた駆動歯車を含む駆動伝達部に除塵回転体の回転伝達部材を回転が伝達されるように接合したことを特徴とする。
【発明の効果】
【０００７】
本発明によれば、組み立て性が良く、歯車の部品数が少ない電気掃除機を提供することができる。
【発明を実施するための最良の形態】
【０００８】
本発明の実施形態に係る実施例について図面を引用して説明する。
【０００９】
まず、図１〜図１０に沿い、電気掃除機の概要から順に説明する。
【００１０】
電気掃除機の本体ケースは、図１〜図３に示すように、上側本体ケース１と下側本体ケース２を有する。本体ケースは、走行用の車輪３とキャスター（図示せず）を有する。上蓋４は、上側本体ケース１に開閉自在に備わる。集塵ユニット５は、上蓋４を開けて本体ケースの集塵ユニット収納部６に入れられたり、取り出したりする。
【００１１】
集塵ユニット５は、図４〜図８に示すように集塵ケース７と波形状の集塵フィルタ８を有する。集塵ケース７の内部には、サイクロン式の集塵部が備わる。サイクロン式の集塵部は、サイクロンの分離室２０と集塵室２１を有する。
【００１２】
集塵ケース７は、前側にごみ吸込口２２を有する。このごみ吸込口２２から気流とともに分離室２０に流入した塵埃は、重いごみと軽いごみに分離されて集塵室２１に集塵される。集塵フィルタ８の上流側には、フィルタ２３が備わるので、大部分の塵埃は集塵室２１に溜まる。フィルタ２３に捕集されなかった細塵がフィルタ２３の下流側に備わる波形状の集塵フィルタ８に捕集される。
【００１３】
集塵フィルタ８は、不織布等を波形状して形成する。集塵フィルタ８の周縁は合成樹脂により成型されるので、波形が保持される。波形の集塵フィルタ８は可撓性を有するので、
裏面側（塵埃捕集面の裏面側）を加振することにより、捕集された塵埃が振るい落される。
【００１４】
電動送風機２４は、図９、図１０に示すように本体ケースの後側に内置される。コードリール２５は、電動送風機２４の横隣になるようにして本体ケースの後側に内置される。集塵ユニット５は、本体ケースの前側に内置される。除塵装置ユニット２６は、集塵フィルタ８と電動送風機２４との間に介在するように取り付けられる。
【００１５】
電動送風機２４は、吸引ファン部２７と電動機２８を有し、吸引ファン部２７を前側に、電動機２８を後側に、かつ水平に置かれるように配置される。吸引ファン部２７の前側に備わる吸込口（電動送風機２４の吸込口）は、集塵フィルタ８の背面中央側に向くように置かれる。
【００１６】
コードリール２５は、電動送風機２４に電気を給電する電気コード４０を巻く巻取リール４１を有し、この巻取リール４１の回転軸心の方向が電動送風機２４に向けて水平になるように置かれる。巻取リール４１は、外周に駆動伝達部である平歯車の駆動歯車４２を有する。
【００１７】
除塵装置ユニット２６は、図１１、図１２、図１３ないし図１５〜図２４に示すように除塵装置支持枠体４３と、除塵回転体４４を有する。
【００１８】
除塵装置支持枠体４３は、合成樹脂で形成される。除塵装置支持枠体４３は、通風穴４５を有する。除塵回転体４４は、通風穴４５の上方位置に設けられる。通風穴４５は、除塵装置支持枠体４３の広い範囲を占め、少なくとも集塵フィルタ８と電動送風機２４の吸込口とが向き合うところに位置するように設けられる。ごみ吸込口２２から吸い込まれ、集塵ケース７の内部、集塵フィルタ８を通過した空気流は、通風穴４５を通って電動送風機２４の吸込口に吸い込まれて行く。
【００１９】
除塵回転体４４は、通風穴４５を避けて通風穴４５の上方位置に設けられるので、通風穴４５を通る空気流の流通障害にならなく、電動送風機２４による強い吸い込みが行われる。
【００２０】
また、除塵回転体４４は、両端側が回転支持部材で回転自在に支持する支持構成にしているので、集塵フィルタ８と電動送風機２４との間に除塵回転体４４と回転支持部材が前後にならぶこともなく、スベースを縮小でき、コンパクトになる。
【００２１】
また、通風穴４５は、多数の格子やリブを有する。格子やリブで、通風穴４５が細かく仕切られているので、誤って集塵ユニット５をセットせずに塵埃の吸い込みをしたときには、大き目の塵埃が電動送風機２４の手前で格子やリブに捕集され、電動送風機２４の破損を防止することができる。
【００２２】
除塵回転体について、図１４、図２５〜図３２を加えて詳しく述べる。
【００２３】
除塵回転体４４は、円筒状の筒部材４６と、除塵加振部である螺旋バネ４７と、エンドリング４８を有する。
【００２４】
円筒状の筒部材４６は、図２７、図２８に示すように合成樹脂で形成され、軸方向に貫通する内部空間４９を有する。筒部材４６は、軸方向に延びる複数（４本）の保持リブ６０を外周に有する。保持リブ６０は等間隔で配置され、螺旋バネ４７の内周を保持する。
【００２５】
また筒部材４６は複数（２つ）の円弧状係止突起６１を両端側外周に有する。この円弧状係止突起６１を利用してエンドリング４８を筒部材４６に取り付けることにより、螺旋バネ４７が外れないように固定される。
【００２６】
エンドリング４８は、図２９に示すように内側面に円弧状係止突起６１が係合される係合部６２を有する。係合部６２は、係合鍔６３に係合溝６４を設けて形成される。係合溝６３は、入り口の反対側（奥側）に止部６５を有する。エンドリング４８は、止部６５に円弧状係止突起６１が当接するまで回すことにより、確実な固定になる。二つの係合鍔６３の間隔は、円弧状係止突起６１の円弧長より少し大きくしている。この少し大きい間隔のところに円弧状係止突起６１が嵌り、エンドリング４８をねじることにより、係合溝６３に円弧状係止突起６１が挿入係止されるのである。
【００２７】
除塵加振部である螺旋バネ４７は、図２８に示すように同じ外径で軸心方向に沿って螺旋を描く形状を有する。螺旋バネ４７の外径は２６ｍｍ程度である。線材として、線径が１ｍｍのピアノ線材を用いる。螺旋バネ４７は、錆び止めのメッキ処理を施す。ステンレスの鋼線や合成樹脂の線材を用いることも可能である。
【００２８】
螺旋バネ４７は、図３２に示すように内径側と保持リブ６０の外周側との間に１ｍｍ程度のギャップＧをもって筒部材４６の外周に保持される。筒部材４６と螺旋バネ４７のギャップは、保持リブ６０以外のところでは更に大きくなっている。
【００２９】
螺旋バネ４７は、両端側に筒部材４６の外径よりも小径の締着輪６６を有する。この締着輪６６が弾力をもって筒部材４６の端部外周に締着することにより、螺旋バネ４７は筒部材４６に保持される。
【００３０】
また、螺旋バネ４７は、両端に二つの回り止め部６７を有する。締着輪６６の両端に設けられる回り止め部６６は、締着輪６６の両端側を筒部材４６の長手方向に沿うように内向きに折り曲げて形成される。一方の回り止め部６６は終端になるが、他方の回り止め部６６は螺旋バネ４７に連なっている。二つの回り止め部６６は、図２５に示すように隣接する円弧状係止突起６１の端部間に係合するように置かれる。この二つの回り止め部６７により、螺旋バネ４７は、筒部材４６に回り止めされて保持される。回り止め保持された螺旋バネ４７は、エンドリング４８の取り付けにより、筒部材４６に確実に外れることなく取り付け固定される。このため、除塵回転体４４の除塵回転に際し、螺旋バネ４７が筒部材４６から脱落することもないので、除塵が良く行われる。
【００３１】
除塵回転体４４は、従動側回転体支持軸８０と駆動側支持軸８１を有する。この従動側回転体支持軸８０と駆動側支持軸８１を含めた除塵回転体の組み立てについて図１４、図３０〜図３２を加えて述べる。
【００３２】
除塵回転体４４の筒部材４６は、内部空間４９に従動側回転体支持軸８０と駆動側支持軸８１を収納する。内部空間４９は、図１４の（１）、図３０に示すように左側半分に４つの平坦な回り止め面部８２を有する。残りの右側半分は、図１４の（１）、図３１に示すように回り止めのない円形の空間になっている。筒部材４６の左端には、内部空間４９の内径より小径の抜け止めフランジ８３が設けられる。
【００３３】
図１４の（１）は、筒部材４６の単体を示す。図１４の（２）は、筒部材４６の螺旋バネ４７が取り付け状態を示している。図１４の（３）は、筒部材４６の内部空間４９に従動側回転体支持軸８０が収められた状態を示している。従動側回転体支持軸８０は、筒部材４６の右側から挿入され、抜け止めフランジ８３で抜け落ちないように保持される。
【００３４】
従動側回転体支持軸８０は、基軸８４、中央板８５、端板８６、バネ支持棒８７、従動側軸突起８８を有する。中央板８５、および端板８６の外周は、回り止め面部８２が設けられている内部空間４９と同じ形状をしているので、従動側回転体支持軸８０は筒部材４６に対する回り止めがなされる。従動側軸突起８８は、筒部材４６の左端より突き出た状態に置かれる。
【００３５】
図１４の（４）は、従動側回転体支持軸８０のバネ支持棒８７に付勢バネ８９を取り付けたところを示す。この後、図１４の（５）に示すように中間体１００をバネ支持棒８７に嵌め込んで取り付ける。中間体１００はバネ支持棒８７に対して長手方向に摺動自在に嵌合されているが、回転方向に対しては回らないように拘束されている。図３２に示すようにバネ支持棒８７は断面がＨ形状を有し、中間体１００もバネ支持棒８７に嵌る穴がＨ形状になっているので、回り止めになる。
【００３６】
図１４の（６）は、筒部材４６に駆動側支持軸８１が取り付けたところを示す。駆動側支持軸８１は、筒部材４６の内部空間４９に回転自在に、かつ軸方向に摺動自在に取り付けられる。駆動側支持軸８１は、外端側に駆動側軸突起１０１を有する。
【００３７】
また、駆動側支持軸８１は駆動側軸突起１０１の反対側に嵌め込み穴を有し、この嵌め込み穴に中間体１００が回転自在に、かつ軸方向に摺動自在に取り付けられる。駆動側軸突起１０１の反対側に存在する嵌め込み穴の奥側には駆動ラチェットが設けられる。中間体１００は、嵌め込み穴に嵌る奥側の端面に従動ラチェットを有する。駆動ラチェットと従動ラチェットの噛み合いは、付勢バネ８９で付勢される。
【００３８】
駆動側支持軸８１の回転は、駆動ラチェットと従動ラチェットを介して従動側回転体支持軸８０に伝達される。回転の伝達は、駆動側支持軸８１の一方の回転で、他方の回転は伝達されない。一方の回転では、駆動ラチェットと従動ラチェットが噛み合って回転が伝わる。逆方向の回転では、駆動ラチェットと従動ラチェットの噛み込みが行われず、従動ラチェットの中間体１００が付勢バネ８９に逃げるように移動するので、回転の伝達が行われない。
【００３９】
このようにして組み立った除塵回転体は、除塵装置支持枠体に取り付けられる。除塵回転体の取り付けについて説明する。
【００４０】
図１５は、除塵回転体４４を取り付ける前の除塵装置支持枠体４３を示す。
【００４１】
除塵装置支持枠体４３は、通風穴４５の上方部に除塵回転体４４が取り付けられる除塵体設置部１０２を有する。除塵装置支持枠体４３が収まる大きさの除塵体設置部１０２は、上下、左右、および背面が壁で区画形成され、通気性のない構造になっている。除塵体設置部１０２の左側壁部の内方には、従動側軸受穴１０３を有する軸受台１０４が設けられる。除塵体設置部１０２の右側の側壁部１０５は、駆動側軸受穴１０６を有する。この駆動側軸受穴１０６は、外部に貫通する穴になっている。除塵体設置部１０２は、背面に左右に延びる二つの除塵回転体背受部１０７を有する。
【００４２】
図１６は、除塵体設置部１０２を除塵回転体４４にセットしたところを示す。
【００４３】
従動側回転体支持軸８０、および駆動側支持軸８１を筒部材４６の奥側に押し込む。従動側軸突起８８と駆動側軸突起１０１が筒部材４６の両端内に入り込むので、除塵回転体４４は図１６に示すように除塵体設置部１０２に容易に収まる。そして、従動側軸突起８８を従動側軸受穴１０３に合わせることにより、付勢バネ８９に押されて従動側軸突起８８が吐出従動側軸受穴１０３嵌る。同じく、駆動側軸受穴１０６に駆動側軸突起１０１を合わせることにより、駆動側軸突起１０１も付勢バネ８９に押されて駆動側軸受穴１０６に嵌る（図１７に示す）。
【００４４】
駆動側軸突起１０１は、図１７、図１９に示すように側壁部１０５の外部側に突出するように置かれる。駆動側軸突起１０１に軸シール部材１０８を取り付ける。軸シール部材１０８は、駆動側軸受穴１０６と駆動側軸突起１０１との隙間を流れるリークを抑える機能を有する。
【００４５】
軸シール部材１０８は、ゴムとか軟質のプラスチック材で形成され、筒部１２０、鍔部１２１を有するほぼＬ字の形状をなす。軸シール部材１０８は、筒部１２０の内周に環状のシール突起１２２を有する。また鍔部１２１の付け根にあたる筒部１２０の内周に環状の位置決め突起１２３を有する。シール突起１２２は、断面の形状が半円形をなしている。軸シール部材１０８の鍔部１２１が側壁部１０５の外部側に摺接するように置かれ、シール機能を保つ。
【００４６】
駆動側軸突起１０１は、外周に環状のシール溝と、環状の位置決め溝を有する。シール溝は駆動側軸突起１０１の先端寄りに、位置決め溝は駆動側軸突起１０１の付け根寄りに設ける。駆動側軸突起１０１に取り付けた軸シール部材１０８は、シール突起１２２がシール溝に、位置決め突起１２３が位置決め溝に嵌合する。位置決め溝に嵌る位置決め突起１２３は、位置決め機能に加え、シール突起１２２と同様なシール機能も有する。
【００４７】
回転伝達部材の伝達歯車１２４は、図１８に示すように駆動側軸突起１０１の端部に取り付ける。伝達歯車１２４はネジで締め付け固定される。
【００４８】
図２０、図２１に示すように、除塵体設置部１０２に取り付けた除塵回転体４４は、除塵回転体背受部１０７に背を向けた状態に置かれる。二つの除塵回転体背受部１０７は、除塵回転体４４の長手方向に沿って延在するように置かれる。螺旋バネ４７の外周と除塵回転体背受部１０７の間隔Ｇ（２〜３ｍｍ）は、長手方向に亘り、同じ巾に設けられる。
【００４９】
除塵回転体４４の取り外しは、図１５〜図１８に示す軸受台１０４の底部に設けた差込穴１２５から差し込むドライバー等で従動側回転体支持軸８０を筒部材４６の奥側に押すことにより、従動側軸突起８８が従動側軸受穴１０３から外れるため容易に行われる。差込穴１２５は、吸い込みのリークを防ぐために通常は蓋をする。また、除塵回転体４４の取り外しを別の方法に代え、差込穴１２５をやめることも可能である。
【００５０】
上記のように組み立てられた除塵装置ユニット２６は、図９、図１０、図１２、図２２に示すように電動送風機２４と集塵ユニット５の間に置かれる。
【００５１】
除塵装置ユニット２６の本体ケースへの組み込みは、下側本体ケース２に電動送風機２４とコードリール２５を組み込んでから行う。除塵装置ユニット２６の組み込みは、除塵装置ユニット２６を縦のまま下ろすように、下側本体ケース２に挿入することにより行われる。この組み込みで、除塵装置ユニット２６の伝達歯車１２４（回転伝達部材と、コードリール２５に設けた巻取リール４１の駆動歯車４２との噛み合わせが行われるので、組み立て作業の良い構成である。
【００５２】
この組み立性の良い噛み合わせができるのは、伝達歯車１２４の回転軸心が駆動歯車４２の回転軸心より上側の位置で噛み合う配置構成にしたからである。
【００５３】
また伝達歯車１２４の回転軸心と駆動歯車４２の回転軸心を平行に配置し、かつ両歯車を平歯車としたので、両歯車の外周が突き合うように噛み合わされる。両歯車の噛み合わせは、巻取リール４１が回転軸心方向に多少振動しても噛み合わせ状態は安定に維持され、除塵回転体４４の除塵回転を確実に行うことができる。
【００５４】
除塵回転体４４への回転伝達機構は、巻取リール４１の駆動歯車４２と除塵回転体４４の伝達歯車１２４の二つだけであるので、コンパクトに構成できるとともに、構成が簡単で、組み立てやすく、回転伝達ロスが少ないという特徴を持っている。
【００５５】
なお、回転伝達機構は、傘歯車、はすば歯車等の各種歯車の利用が可能である。
【００５６】
次に集塵フィルタの除塵について説明する。
【００５７】
螺旋バネ４７の外周側が、図１３に示すように、集塵フィルタ８の波間に入り込むように置かれる。概ね１ｍｍ程度の入り込み量になる。螺旋バネ４７の回転に伴い、集塵フィルタ８の山頭が弾かれて除塵が行われる。
【００５８】
集塵フィルタ８の横幅が１００ｍｍ程度、螺旋バネ４７の長さが８０ｍｍ程度であるので、集塵フィルタ８のほぼ全横幅に亘り、除塵が行われる。
【００５９】
集塵フィルタ８は、波間が縦に走るように置かれ、かつ除塵回転体４４が集塵フィルタ８の上側位置に置かれるので、集塵フィルタ８から振るい落とされた塵埃は集塵フィルタ８の下方に溜まる。
【００６０】
集塵フィルタ８の除塵は、除塵回転体４４の回転により行われる。除塵回転体４４の回転は、コードリール２５の電気コード４０を引き出すときだけ行われるようにした。電気コード４０を巻き戻すときには、除塵回転体４４の回転が行われるようにすると、電気コード４０の巻き戻しを担わせているゼンマイバネの負荷が多くなるからである。ゼンマイバネを強くして電気コードの巻き戻しに際しても除塵を行わせるようにすることは可能である。
【００６１】
さて、コードリール２５の電気コード４０を引き出すことにより、図２３の示す回転伝達機構（巻取リール４１の駆動歯車４２と除塵回転体４４の伝達歯車１２４）を介して巻取リール４１の回転が伝達歯車１２４に伝わる。伝達歯車１２４の回転は、駆動側支持軸８１、中間体１００、従動側回転体支持軸８０を介して筒部材４６に伝わる。こうして、除塵回転体４４は回される。
【００６２】
電気コード４０の巻き戻しでは、巻取リール４１が逆方向の回転になるので、駆動側支持軸８１の駆動ラチェットと中間体１００の従動ラチェットとの間で回転の伝達が断たれ、除塵回転体４４には回転が伝わらないようになっている。
【００６３】
図３３〜図３５は、螺旋バネ４７による集塵フィルタ８の塵埃モードを示す。
【００６４】
図３３は除塵回転体４４の螺旋バネ４７が回る前である。螺旋バネ４７の回転にともない、図３４に示すように集塵フィルタ８の波頭が左向きに押される。集塵フィルタ８の波頭が左向きに撓むとともに螺旋バネ４７も左向きに弾性変形し、螺旋バネ４７は波頭の頂上に向け移動を続け、図３５に示すように更に撓み、変形は増す。そして、波頭を越えると、螺旋バネ４７は左隣の波頭を横から弾くことにより、集塵フィルタ８は振れて集塵フィルタ８の表面側（塵埃捕集面）に付着する塵埃が振るい落される。また、波頭を越えると、集塵フィルタ８にためられた変形が元の位置に戻ろうとするので、集塵フィルタ８は激しく振動し、塵埃がフィルター面から剥離する。この集塵フィルタ８の除塵は、除塵回転体４４の長手方向範囲に亘り広範囲に行われ、電気コード４０の一度の引出しにより、螺旋バネ４７が１０回転以上回転するので、繰り返し除塵が行われ、高い除塵性能が得られる。
【００６５】
また、集塵フィルタ８の波頭を真横から弾く除塵は、除塵回転体４４の長手方向範囲に亘り、偏り無く一様に行われるので、除塵むらが生じにくい。また螺旋バネ４７の回転による除塵は、集塵フィルタ８の各所で螺旋バネ４７が接触するようになっているので、回転位置によって負荷変動が大きく変ることもなく、電気コード４０の引出し操作がし易い。
【００６６】
また、螺旋バネ４７の内径側と保持リブ６０の外周側との間に１ｍｍ程度のギャップＧを設けたので、螺旋バネ４７の外周側を集塵フィルタ８の波間に確実に入り込ませることができ、良好な除塵ができる。
【００６７】
また、除塵回転体４４の長手方向に沿って延在する二つの除塵回転体背受部１０７を集塵フィルタ８の反対側に設けたので、除塵回転体４４の除塵回転に際し、螺旋バネ４７が集塵フィルタ８の波頭の反力（撓みに伴う反力）で後側に押されても除塵回転体背受部１０７に受け止められる。これにより、螺旋バネ４７が後側に逃げないので、螺旋バネ４７が十分に変形し、集塵フィルタ８の波頭が強く弾かれる。
【００６８】
なお、上記では、螺旋バネ４７の螺旋ピッチ間に集塵フィルタ８の波が二つ入る関係になっているが、数波入るようにすることも可能である。
【００６９】
また螺旋バネ４７に代えて、螺旋スクリュー、ウォームを用いることも可能である。
【００７０】
図３６は、筒部材の他の実施例を示す。
【００７１】
筒部材１３０は、複数（４本）の保持リブ１３１と、円弧状係止突起１３２と、端部輪止１３３を外周に有する。前記螺旋バネ４７の締着輪６６が円弧状係止突起１３２と端部輪止１３３の間に置かれ、二つの回り止め部６７が円弧状係止突起１３２の端部間に挟まるように置かれる。
【００７２】
締着輪６６が円弧状係止突起１３２と端部輪止１３３の間に止められるので、螺旋バネ４７の脱落が抑えられる。二つの回り止め部６７が円弧状係止突起１３２の端部間に挟まれるので、螺旋バネ４７の回り止めが行われる。この筒部材１３０は、螺旋バネ４７を止めるエンドリング４８が不要である。
【図面の簡単な説明】
【００７３】
【図１】本発明の実施形態に係る実施例に関するもので、電気掃除機本体の外観斜視図。
【図２】本発明の実施形態に係る実施例に関するもので、上蓋を開いて集塵ユニットが外れた状態を示すところの電気掃除機本体の外観斜視図。
【図３】本発明の実施形態に係る実施例に関するもので、上蓋を開いて集塵ユニットが取り付けられている状態を示すところの電気掃除機本体の外観斜視図。
【図４】本発明の実施形態に係る実施例に関するもので、集塵ユニットの後側から見た正面図。
【図５】本発明の実施形態に係る実施例に関するもので、図４のA−A断面図。
【図６】本発明の実施形態に係る実施例に関するもので、集塵ユニットの前側から見た外観斜視図。
【図７】本発明の実施形態に係る実施例に関するもので、集塵ユニットの後側から見た外観斜視図。
【図８】本発明の実施形態に係る実施例に関するもので、図５のＢ−Ｂ断面図。
【図９】本発明の実施形態に係る実施例に関するもので、上側本体ケースを外して上から見た電気掃除機本体の平面図。
【図１０】本発明の実施形態に係る実施例に関するもので、電気掃除機本体の縦断面図。
【図１１】本発明の実施形態に係る実施例に関するもので、除塵装置ユニットの伝達歯車と巻取リールの駆動歯車との噛み合わせを示す斜視図。
【図１２】本発明の実施形態に係る実施例に関するもので、除塵装置ユニットの伝達歯車と巻取リールの駆動歯車との噛み合わせを示す平面図。
【図１３】本発明の実施形態に係る実施例に関するもので、集塵フィルタと除塵回転体の螺旋バネとの関り合いを示す図。
【図１４】本発明の実施形態に係る実施例に関するもので、除塵回転体の組み立て手順を示す図。
【図１５】本発明の実施形態に係る実施例に関するもので、除塵装置支持枠体の正面図。
【図１６】本発明の実施形態に係る実施例に関するもので、除塵装置支持枠体に除塵回転体を取り付けたところを示す図。
【図１７】本発明の実施形態に係る実施例に関するもので、除塵回転体に軸シール部材を取り付けたところを示す図。
【図１８】本発明の実施形態に係る実施例に関するもので、除塵回転体に伝達歯車を取り付けたところを示す図。
【図１９】本発明の実施形態に係る実施例に関するもので、除塵回転体と軸シール部材を示す拡大図。
【図２０】本発明の実施形態に係る実施例に関するもので、図１８のＣ−Ｃ断面図。
【図２１】本発明の実施形態に係る実施例に関するもので、図２０のD部拡大図。
【図２２】本発明の実施形態に係る実施例に関するもので、回転除塵装置ユニットの伝達歯車と巻取リールの駆動歯車との噛み合わせを示す正面図。
【図２３】本発明の実施形態に係る実施例に関するもので、除塵回転体の伝達歯車と巻取リールの駆動歯車との噛み合わせを示す平面図。
【図２４】本発明の実施形態に係る実施例に関するもので、図２２のＥ矢視図。
【図２５】本発明の実施形態に係る実施例に関するもので、除塵回転体の外観斜視図。
【図２６】本発明の実施形態に係る実施例に関するもので、除塵回転体の筒部材の外観斜視図。
【図２７】本発明の実施形態に係る実施例に関するもので、筒部材の正面図。
【図２８】本発明の実施形態に係る実施例に関するもので、螺旋バネの正面図。
【図２９】本発明の実施形態に係る実施例に関するもので、エンドリングの斜視図。
【図３０】本発明の実施形態に係る実施例に関するもので、図２７のＦ−Ｆ断面図。
【図３１】本発明の実施形態に係る実施例に関するもので、図２７のＧ−Ｇ断面図。
【図３２】本発明の実施形態に係る実施例に関するもので、図１４の（６）のＨ−Ｈ断面図。
【図３３】本発明の実施形態に係る実施例に関するもので、除塵開始前を示す図。
【図３４】本発明の実施形態に係る実施例に関するもので、除塵初期を示す図。
【図３５】本発明の実施形態に係る実施例に関するもので、除塵進行中を示す図。
【図３６】本発明の実施形態に係る他の実施例に関するもので、筒部材の斜視図。
【符号の説明】
【００７４】
１…上側本体ケース、２…下側本体ケース、５…集塵ユニット、８…集塵フィルタ、２４…電動送風機、２５…コードリール、４０…電気コード、４２…駆動歯車、１２４…伝達歯車。
【図１】
2005305015.tif 000003
【図２】
2005305015.tif 000004
【図３】
2005305015.tif 000005
【図４】
2005305015.tif 000006
【図５】
2005305015.tif 000007
【図６】
2005305015.tif 000008
【図７】
2005305015.tif 000009
【図８】
2005305015.tif 000010
【図９】
2005305015.tif 000011
【図１０】
2005305015.tif 000012
【図１１】
2005305015.tif 000013
【図１２】
2005305015.tif 000014
【図１３】
2005305015.tif 000015
【図１４】
2005305015.tif 000016
【図１５】
2005305015.tif 000017
【図１６】
2005305015.tif 000018
【図１７】
2005305015.tif 000019
【図１８】
2005305015.tif 000020
【図１９】
2005305015.tif 000021
【図２０】
2005305015.tif 000022
【図２１】
2005305015.tif 000023
【図２２】
2005305015.tif 000024
【図２３】
2005305015.tif 000025
【図２４】
2005305015.tif 000026
【図２５】
2005305015.tif 000027
【図２６】
2005305015.tif 000028
【図２７】
2005305015.tif 000029
【図２８】
2005305015.tif 000030
【図２９】
2005305015.tif 000031
【図３０】
2005305015.tif 000032
【図３１】
2005305015.tif 000033
【図３２】
2005305015.tif 000034
【図３３】
2005305015.tif 000035
【図３４】
2005305015.tif 000036
【図３５】
2005305015.tif 000037
【図３６】
2005305015.tif 000038